(57)【要約】【課題】集積された塵埃層を効果的に清浄化および／または消臭することが可能な集塵容器とそれを備えた電気掃除機を提供する。【解決手段】電気掃除機１は、吸気を発生させる電動送風機１１０と、正イオンと負イオンとを発生させるイオン発生装置１３１と、吸気から塵埃を分離することによって塵埃を集める集塵容器１２１と、正イオンと負イオンとを集塵容器１２１内に送り込むための送風ファン１３２とを備える。集塵容器１２１は、塵埃を含む吸気を導入するための吸気導入口１２２と、吸気から塵埃を分離した後の吸気を集塵容器１２１の外部に排出するために設けられ、フィルター１２４が取り付けられた排気口１２３と、正イオンと負イオンとを集塵容器１２１の内部に導入するためのイオン導入口１２５と、吸気導入口１２２を閉鎖し、イオン導入口１２５を開放するために設けられた開閉部材１２６とを含む。【選択図】図４
2011015882.tif 000002
【特許請求の範囲】
【請求項１】
吸気から塵埃を分離することによって塵埃を集める集塵容器であって、
塵埃を含む吸気を当該集塵容器の内部に導入するために設けられた吸気導入口と、
前記吸気導入口から当該集塵容器の内部に導入された吸気から塵埃を分離した後の吸気を当該集塵容器の外部に排出するために設けられ、フィルターが取り付けられた排気口と、
イオンを当該集塵容器の内部に導入するために設けられたイオン導入口と、
前記吸気導入口を閉鎖し、前記イオン導入口を開放するために設けられた開閉部材とを備えた、集塵容器。
【請求項２】
前記開閉部材は、前記吸気導入口を開放し、前記イオン導入口を閉鎖する、請求項１に記載の集塵容器。
【請求項３】
吸気を発生させる電動送風機と、
正イオンと負イオンとを発生させるイオン発生装置と、
吸気から塵埃を分離することによって塵埃を集める集塵容器と、
前記イオン発生装置で発生された正イオンと負イオンとを前記集塵容器内に送り込むための送風部とを備え、
前記集塵容器が、
塵埃を含む吸気を前記集塵容器の内部に導入するために設けられた吸気導入口と、
前記吸気導入口から前記集塵容器の内部に導入された吸気から塵埃を分離した後の吸気を前記集塵容器の外部に排出するために設けられ、フィルターが取り付けられた排気口と、
前記イオン発生装置によって発生された正イオンと負イオンとを前記集塵容器の内部に導入するために設けられたイオン導入口とを含み、さらに、
前記吸気導入口を閉鎖し、前記イオン導入口を開放するために設けられた開閉部材を備える、電気掃除機。
【請求項４】
前記開閉部材は、前記吸気導入口を開放し、前記イオン導入口を閉鎖する、請求項３に記載の電気掃除機。
【請求項５】
前記開閉部材は前記集塵容器に対して移動することができるように設けられている、請求項３または請求項４に記載の電気掃除機。
【請求項６】
前記集塵容器は前記開閉部材に対して移動することができるように設けられている、請求項３または請求項４に記載の電気掃除機。
【発明の詳細な説明】
【技術分野】
【０００１】
この発明は、集塵容器とそれを備えた電気掃除機に関する。
【背景技術】
【０００２】
従来、電気掃除機は、電動送風機によって吸気を発生させて、掃除の対象物の表面の塵埃を周囲の空気とともに電気掃除機内に吸い込む。電気掃除機内に吸い込まれた塵埃は、塵埃捕集室内において、フィルタによって吸気から取り除かれたり、吸気を旋回させて吸気と分離させられたりする。
【０００３】
塵埃を含む吸気や塵埃捕集室内に集められた塵埃の中に存在する微生物などの細菌を殺菌するために、例えば、吸気にイオンを供給することが考えられる。吸気にイオンを供給する電気掃除機として、次のような電気掃除機が提案されている。
【０００４】
特開２００３−１５３８３１号公報（特許文献１）には、プラスイオンとマイナスイオンを発生することが可能なイオン発生器を備える電気掃除機が記載されている。この電気掃除機では、掃除機本体内において吸気路外にイオン発生器を設け、このイオン発生器で発生させたイオンを電動送風機の駆動中に吸気路内に供給するようにしている。
【先行技術文献】
【特許文献】
【０００５】
【特許文献１】特開２００３−１５３８３１号公報
【発明の概要】
【発明が解決しようとする課題】
【０００６】
特開２００３−１５３８３１号公報（特許文献１）に記載の電気掃除機では、電動送風機の駆動中に吸気路内にイオンが供給される。塵埃を含む吸気は、吸気路を通じて排気口より掃除機本体の外に排気される。このため、吸気路内は開放空間であるので、吸気路内に導入されたイオンが排気口からすぐに外に放出されてしまう。したがって、集塵容器（ダストカップ）内に集積された塵埃層の表面が清浄化され、脱臭されるだけであるので、従来の電気掃除機では、集積された塵埃を十分に清浄化し、消臭することができないという問題がある。特に、アレルゲン物質を不活化（失活化）するためには、電動送風機の駆動中に吸気路内にイオンを供給するだけでは不十分である。
【０００７】
そこで、この発明の目的は、集積された塵埃層を効果的に清浄化および／または消臭することが可能な集塵容器とそれを備えた電気掃除機を提供することである。
【課題を解決するための手段】
【０００８】
この発明に従った集塵容器は、吸気から塵埃を分離することによって塵埃を集める集塵容器である。集塵容器は、塵埃を含む吸気を当該集塵容器の内部に導入するために設けられた吸気導入口と、この吸気導入口から当該集塵容器の内部に導入された吸気から塵埃を分離した後の吸気を当該集塵容器の外部に排出するために設けられ、フィルターが取り付けられた排気口と、イオンを当該集塵容器の内部に導入するために設けられたイオン導入口と、吸気導入口を閉鎖し、イオン導入口を開放するために設けられた開閉部材とを備える。
【０００９】
この発明の集塵容器においては、排気口にフィルターが取り付けられているとともに、少なくとも、吸気導入口を閉鎖し、イオン導入口を開放するための開閉部材が設けられている。このため、集塵容器内をほぼ閉鎖空間にした状態でイオンをイオン導入口から集塵容器内に供給することができる。これにより、ほぼ閉鎖空間にされた集塵容器内に相対的に高濃度のイオンを導入することができる。たとえば、特定の正イオンと負イオンを供給することにより、集塵容器内に集積された塵埃層を効果的に清浄化および／または消臭することが可能となる。ここで、清浄化とは、除菌だけでなく、人体に悪影響を及ぼす微生物、化学物質などの不活化（失活化）または除去を含む。また、集塵容器内に集積された塵埃を除電することもできる。特に、特定の正イオンと負イオンを供給することにより、集塵容器内に集積された塵埃層に含まれるアレルゲン物質を不活化することができる。
【００１０】
この発明の集塵容器において、上記の開閉部材は、吸気導入口を開放し、イオン導入口を閉鎖することが好ましい。
【００１１】
この場合、同一の開閉部材を用いて、集塵容器へのイオン導入時には吸気導入口を閉鎖し、イオン導入口を開放するとともに、集塵容器への吸気導入時には吸気導入口を開放し、イオン導入口を閉鎖することができる。
【００１２】
この発明に従った電気掃除機は、吸気を発生させる電動送風機と、正イオンと負イオンとを発生させるイオン発生装置と、吸気から塵埃を分離することによって塵埃を集める集塵容器と、イオン発生装置で発生された正イオンと負イオンとを集塵容器内に送り込むための送風部とを備える。この集塵容器は、塵埃を含む吸気を集塵容器の内部に導入するために設けられた吸気導入口と、この吸気導入口から集塵容器の内部に導入された吸気から塵埃を分離した後の吸気を集塵容器の外部に排出するために設けられ、フィルターが取り付けられた排気口と、イオン発生装置によって発生された正イオンと負イオンとを集塵容器の内部に導入するために設けられたイオン導入口とを含む。さらに、この電気掃除機は、吸気導入口を閉鎖し、イオン導入口を開放するために設けられた開閉部材を備える。
【００１３】
この発明の電気掃除機においては、集塵容器の排気口にフィルターが取り付けられているとともに、少なくとも、吸気導入口を閉鎖し、イオン導入口を開放するための開閉部材が設けられている。このため、集塵容器内をほぼ閉鎖空間にした状態でイオンをイオン導入口から集塵容器内に供給することができる。これにより、イオン発生装置によって発生された正イオンと負イオンを送風部によって集塵容器内に送り込むことによって、ほぼ閉鎖空間にされた集塵容器内に相対的に高濃度のイオンを導入することができる。したがって、たとえば、特定の正イオンと負イオンとを供給することにより、集塵容器内に集積された塵埃層を効果的に清浄化および／または消臭することが可能となる。ここで、清浄化とは、除菌だけでなく、人体に悪影響を及ぼす微生物、化学物質などの不活化（失活化）または除去を含む。また、集塵容器内に集積された塵埃を除電することもできる。特に、特定の正イオンと負イオンを供給することにより、集塵容器内に集積された塵埃層に含まれるアレルゲン物質を不活化することができる。
【００１４】
この発明の電気掃除機において、上記の開閉部材は、吸気導入口を開放し、イオン導入口を閉鎖することが好ましい。
【００１５】
この場合、同一の開閉部材を用いて、集塵容器へのイオン導入時には吸気導入口を閉鎖し、イオン導入口を開放するとともに、集塵容器への吸気導入時には吸気導入口を開放し、イオン導入口を閉鎖することができる。
【００１６】
また、この発明の電気掃除機において、開閉部材は集塵容器に対して移動することができるように設けられていることが好ましい。
【００１７】
この場合、開閉部材が集塵容器に対して移動することによって、少なくとも開閉部材が吸気導入口を閉鎖するとき、イオン導入口を開放することができる。また、同一の開閉部材を用いて、開閉部材が集塵容器に対して移動することによって、開閉部材が吸気導入口を閉鎖するとき、イオン導入口を開放することができるとともに、開閉部材がイオン導入口を閉鎖するとき、吸気導入口を開放することができる。
【００１８】
あるいは、この発明の電気掃除機において、集塵容器は開閉部材に対して移動することができるように設けられていることが好ましい。
【００１９】
この場合、集塵容器が開閉部材に対して移動することによって、少なくとも開閉部材が吸気導入口を閉鎖するとき、イオン導入口を開放することができる。また、同一の開閉部材を用いて、集塵容器が開閉部材に対して移動することによって、開閉部材が吸気導入口を閉鎖するとき、イオン導入口を開放することができるとともに、開閉部材がイオン導入口を閉鎖するとき、吸気導入口を開放することができる。
【００２０】
また、この場合、集塵容器へのイオン導入時には、容易に吸気導入口を閉鎖し、イオン導入口を開放することができるので、集塵容器に集積された塵埃層を効果的に清浄化および／または消臭することができるとともに、集塵容器への吸気導入時には、容易に吸気導入口を開放し、イオン導入口を閉鎖することができるので、掃除機本来の清掃機能に速やかに復帰することができる。
【発明の効果】
【００２１】
以上のように、この発明によれば、集積された塵埃層を清浄化および除電の少なくともいずれかを効果的に行うことが可能な集塵容器とそれを備えた電気掃除機を提供することができる。
【図面の簡単な説明】
【００２２】
【図１】この発明の第１と第２の実施形態の電気掃除機の全体を示す斜視図である。
【図２】この発明の第１の実施形態の電気掃除機本体の内部構成を模式的に示す図である。
【図３】この発明の第１の実施形態において吸気導入口が開放されたときの電気掃除機本体の側面図である。
【図４】この発明の第１の実施形態においてイオン導入口が開放されたときの電気掃除機本体を、イオン供給部の内部構成とともに示す側面図である。
【図５】この発明の第１の実施形態の電気掃除機が備える集塵容器の横断面図である。
【図６】この発明の第２の実施形態の電気掃除機が備える集塵容器の第１の装着状態を示す図である。
【図７】この発明の第２の実施形態の電気掃除機が備える集塵容器の第２の装着状態を示す図である。
【発明を実施するための形態】
【００２３】
以下、この発明の実施の形態を図面に基づいて説明する。
【００２４】
（第１の実施形態）
図１に示すように、電気掃除機１は、吸込口を有する吸込口体１０１と、吸気を発生させる電動送風機（吸引モーター）や塵埃捕集室を収容する本体１００と、吸込口体１０１と本体１００とを接続する延長管１０２と接続パイプ１０３とサクションホース１０４と連結管１０５とを備える。延長管１０２と接続パイプ１０３とサクションホース１０４と連結管１０５は、吸気通路を形成する。
【００２５】
吸込口体１０１には、延長管１０２、取っ手を備える接続パイプ１０３、サクションホース１０４、連結管１０５が順次接続されている。サクションホース１０４は連結管１０５を介して本体１００に接続されている。接続パイプ１０３の取っ手には、使用者が電動送風機の駆動と駆動停止の切り替えなどの種々の操作を行うための操作部（図示しない）が配置されている。
【００２６】
延長管１０２は、用途に合わせて使用者が長さを調節することが可能であるように、途中で分割されたり、二重構造の伸縮式にされたりしてもよい。サクションホース１０４は、柔軟に曲がるように構成されている。
【００２７】
本体１００には、本体１００を床面上で移動可能に支持する車輪１０６が設けられている。また、本体１００上には、通常、使用者が本体１００を持ち上げるためのハンドル（図示しない）が配置されているが、本体１００上にはハンドルが配置されていなくてもよい。
【００２８】
図２に示すように、電気掃除機１（図１）の本体１００の内部には、主に、電動送風機１１０と、塵埃捕集室１２０とが配置されている。電動送風機１１０は、矢印で示す方向に流れる吸気を発生させる。塵埃捕集室１２０は、塵埃を集積するための集塵容器（ダストカップ）１２１を備えている。
【００２９】
集塵容器１２１は、吸気から塵埃を分離することによって塵埃を集めるためのものである。集塵容器１２１には吸気導入口１２２と排気口１２３が形成されている。吸気導入口１２２は、塵埃を含む吸気を白矢印で示す方向に吸込み、集塵容器１２１の内部に導入するために設けられている。排気口１２３は、吸気導入口１２２から集塵容器１２１の内部に導入された吸気から塵埃を分離した後の吸気を集塵容器１２１の外部に排出するために設けられている。排気口１２３には、フィルター１２４、たとえば、ＨＥＰＡフィルターが取り付けられている。集塵容器１２１の内部において相対的に上方に位置する部分には内筒フィルター１２８が設けられている。
【００３０】
吸気導入口１２２には電気掃除機１の連結管１０５（図１）が接続される。また、電動送風機１１０への吸気経路が排気口１２３に接続されている。なお、電動送風機１１０から排気経路への入口には、フィルター１４１、たとえば、ＨＥＰＡフィルターが取り付けられている。排気経路を形成する本体１００の内底壁面には吸音材１４２が設けられ、電動送風機１１０の周囲にも吸音材１４３が設けられている。排気経路の外部への出口としての排気口１４４には、フィルター１４５が取り付けられている。
【００３１】
図３と図４に示すように、イオン供給部１３０が、本体１００内で集塵容器１２１の吸気導入口１２２側の側部に隣接するように設けられている。イオン供給部１３０は、開口部１３３から外気を送風ファン１３２によって取り入れることにより生じた風流で、イオン発生装置１３１で発生された正イオンと負イオンとを、イオン導入通路１３５を通じて集塵容器１２１の内部に送り込む。送風ファン１３２は、イオン発生装置１３１で発生された正イオンと負イオンとを集塵容器１２１内に送り込むための送風部の一例である。開口部１３３には、取り入れられる外気から塵埃等を分離するためにフィルター１３４が設けられている。
【００３２】
図３と図４に示すように、集塵容器１２１の吸気導入口１２２側の側部には、吸気導入口１２２に隣り合うようにイオン導入口１２５が設けられている。図４と図５に示すように、イオン導入通路１３５はイオン導入口１２５に連通している。
【００３３】
図３と図４に示すように、吸気導入口１２２またはイオン導入口１２５のいずれか一方を閉鎖し、吸気導入口１２２またはイオン導入口１２５のいずれか他方を開放するために開閉部材１２６が設けられている。図５に示すように、開閉部材１２６は集塵容器１２１内に設けられていている。開閉部材１２６を駆動するための開閉部材駆動部１２７が吸気導入口１２２とイオン導入口１２５の上に配置されている。開閉部材駆動部１２７が矢印で示す方向に両方向に駆動することができるようになっている。これにより、開閉部材駆動部１２７の駆動に応じて、図３に示すように開閉部材１２６が吸気導入口１２２を開放し、イオン導入口１２５を閉鎖することができ、また図４に示すように開閉部材１２６が吸気導入口１２２を閉鎖し、イオン導入口１２５を開放することができる。なお、図２と図５では、開閉部材１２６が吸気導入口１２２を閉鎖し、イオン導入口１２５を開放している状態が示されている。また、開閉部材駆動部１２７を設けないで開閉部材１２６を手動で移動させることができるように構成されてもよい。
【００３４】
以上のように構成される電気掃除機１の動作について説明する。図２に実線で示す矢印は、吸気の流れる方向を示す。
【００３５】
まず、電気掃除機１の運転を開始する前に、図３に示すように開閉部材１２６が吸気導入口１２２を開放し、イオン導入口１２５を閉鎖していることを確認する。図２、図４および図５に示すように開閉部材１２６が吸気導入口１２２を閉鎖し、イオン導入口１２５を開放している場合には、操作部を操作して、開閉部材駆動部１２７を駆動させることにより、開閉部材１２６が吸気導入口１２２を開放し、イオン導入口１２５を閉鎖する状態にする。
【００３６】
次に、使用者が操作部を操作して、電気掃除機１の運転を開始すると、電動送風機１１０が駆動される。電動送風機１１０が駆動されると、吸気が発生する。吸気は、吸込口から吸込口体１０１の内部に吸い込まれる。吸込口体１０１の内部に吸い込まれた吸気は、延長管１０２、接続パイプ１０３、サクションホース１０４、連結管１０５を順に通って、電気掃除機１の本体１００内に吸い込まれる。本体１００内において、吸気は、連結管１０５から吸気導入口１２２を通って、塵埃捕集室１２０内に流入する。
【００３７】
白矢印で示すように吸気導入口１２２から集塵容器１２１の内部に流入した吸気は、図２に実線の矢印で示すように、集塵容器１２１の内部で旋回する。このとき、吸気は、集塵容器１２１内で旋回することによって塵埃と分離される。塵埃は集塵容器１２１内の下方に集積される。集塵容器１２１内で塵埃と分離された吸気は、内筒フィルター１２８を通って排気口１２３に流出し、吸気経路に沿って電動送風機１１０に向かって流通する。電動送風機１１０の下流側にはフィルター１４１が設置されている。吸気は、フィルター１４１を通過して清浄化され、排気経路に沿って流通し、さらに最終的にフィルター１４５を通過して清浄化され、排気口１４４から本体１００の外に排出される。
【００３８】
電気掃除機１を用いた掃除が終了すると、使用者は操作部を操作して、電動送風機１１０の駆動を停止させる。
【００３９】
電動送風機１１０が完全に停止した後、使用者は、操作部を操作して開閉部材駆動部１２７を駆動させることにより、図２、図４および図５に示すように、開閉部材１２６が吸気導入口１２２を閉鎖し、イオン導入口１２５を開放する状態にする。
【００４０】
そして、使用者は、操作部を操作してイオン供給部１３０を駆動させる。このとき、送風ファン１３２が回転することにより、外気が開口部１３３を通じて取り入れられるとともに、イオン発生装置１３１が正イオンと負イオンとを発生させる。発生された正イオンと負イオンは、送風ファン１３２によって生じた送風によって、イオン導入通路１３５を通じて集塵容器１２１のイオン導入口１２５に送り込まれる。このとき、集塵容器１２１内には、実線の矢印で示されるような吸気等の気流が生じていないとともに、排気口１２３にフィルター１２４が取り付けられているので、集塵容器１２１の内部は、ほぼ閉鎖空間の状態にある。このため、集塵容器１２１内に導入された正イオンと負イオンは、外に放出されることがなく、集塵容器１２１の下方に集積された集塵層の表面だけでなく、集塵層の内部まで十分に浸透して接触することができるので、集塵層の清浄化、消臭、および、除電を効果的に行うことができる。ここで、清浄化とは、除菌だけでなく、人体に悪影響を及ぼす微生物、化学物質などの不活化（失活化）または除去を含む。特に、特定の正イオンと負イオンを供給することにより、集塵容器１２１内に集積された塵埃層に含まれるアレルゲン物質を不活化することができる。イオン供給部１３０の駆動時間は、集塵物の量に応じて、たとえば、タイマー等を用いて適宜設定される。なお、この駆動時間は、掃除を行うための電動送風機１１０の平均駆動時間（約６分／日）よりも長時間に設定される。
【００４１】
具体的には、たとえば、イオン発生装置１３１にてコロナ放電で生じる正イオンと負イオンは、凝集して、集塵容器１２１内の空気中や、集塵容器１２１の下方に集積された塵埃層中に存在する細菌、微生物、化学物質などを取り囲み、そして、水酸基ラジカル・ＯＨや過酸化水素Ｈ２Ｏ２などの活性種により、除菌だけでなく、微生物、化学物質などの不活化（失活化）または除去を行うことができるものである。たとえば、針状電極によるコロナ放電によって、印加電圧が正電圧の場合には、主としてＨ＋（Ｈ２Ｏ）ｎ（ｎは自然数）からなる正イオンが生成され、印加電圧が負電圧の場合には、主としてＯ２−（Ｈ２Ｏ）ｍ（ｍは自然数）からなる負イオンが生成される。これらの正イオンと負イオンが、細菌、微生物、化学物質などの表面上で凝縮することにより、除菌だけでなく、微生物、化学物質などの不活化または除去を行うことができる。たとえば、イオン供給部１３０を約９０分間駆動させることにより、不活化されていないダニ粉塵の量が約１／１０程度になる。
【００４２】
使用者は、イオン供給部１３０の駆動が停止した後、集塵容器１２１を本体１００から取り外して、集塵容器１２１内に溜められた塵埃を廃棄する。このとき、塵埃は清浄化され、また消臭されているので、使用者は衛生的に塵埃の廃棄処理を行うことができる。
【００４３】
また、塵埃と集塵容器１２１はイオン供給部１３０の駆動中に除電されている。そのため、集塵容器１２１から塵埃を廃棄するときに、静電気によって塵埃が飛び散ったり、集塵容器１２１に塵埃が付着したまま残ったりすることが少なくなる。
【００４４】
塵埃を取り除かれた集塵容器１２１は、再び電気掃除機１の本体１００に装着される。
【００４５】
以上のように、この発明の電気掃除機１の本体１００が備える集塵容器１２１においては、排気口１２３にフィルター１２４が取り付けられているとともに、少なくとも、吸気導入口１２２を閉鎖し、イオン導入口１２５を開放するための開閉部材１２６が設けられている。このため、集塵容器１２１内をほぼ閉鎖空間にした状態でイオンをイオン導入口１２５から集塵容器１２１内に供給することができる。これにより、イオン発生装置１３１によって発生された正イオンと負イオンを送風ファン１３２によって集塵容器１２１内に送り込むことによって、ほぼ閉鎖空間にされた集塵容器１２１内に相対的に高濃度のイオンを導入することができる。したがって、たとえば、上述したような特定の正イオンと負イオンとを供給することにより、集塵容器１２１内に集積された塵埃層を効果的に清浄化および／または消臭することが可能となる。ここで、清浄化とは、除菌だけでなく、人体に悪影響を及ぼす微生物、化学物質などの不活化（失活化）または除去を含む。また、集塵容器１２１内に集積された塵埃を除電することもできる。特に、特定の正イオンと負イオンを供給することにより、集塵容器１２１内に集積された塵埃層に含まれるアレルゲン物質を不活化することができる。
【００４６】
（第２の実施形態）
本発明の電気掃除機の第２の実施形態について以下で説明する。なお、第１の実施形態の電気掃除機の構成・作用と共通する部分については、説明を省略する。
【００４７】
図６と図７に示すように、集塵容器２２１には、連結管１０５に接続されて連通可能な吸気導入口２２２が設けられている。図２に示される第１の実施形態と同様にして、集塵容器２２１を備えた塵埃捕集室１２０は、電気掃除機１の本体１００（図１）に着脱可能に構成されいる。集塵容器２２１は、円筒形状で、集塵容器２２１の円周方向に回転可能である。集塵容器２２１の底部は、電気掃除機１の本体１００に形成された円筒形状の凹部に載置されている。また、集塵容器２２１には、イオン発生装置２３０に接続されて連通可能なイオン導入口２２５が設けられている。図２に示される第１の実施形態と同様にして、イオン発生装置２３０は電気掃除機１の本体１００（図１）に設けられている。開閉部材２２６は、イオン発生装置２３０に隣接して設けられ、吸気導入口２２２またはイオン導入口２２５のいずれか一方を閉鎖することができるように本体１００内に配置されている。
【００４８】
このように構成された集塵容器２２１を備えた塵埃捕集室１２０を、電気掃除機１の本体１００に装着した状態で、塵埃捕集室１２０の上部に設けた把手（図示しない）を使用者が持って矢印で示す方向（図６において時計回り）に回転させる。これにより、図６に示すように、集塵容器２２１に設けられた吸気導入口２２２が、本体１００側に設けられた開閉部材２２６で閉鎖されて連結管１０５に接続されずに連通できない状態にされ、イオン導入口２２５がイオン発生装置２３０に接続されて連通可能な状態にされることができる（第１の装着状態）。
【００４９】
この状態で、使用者が電気掃除機１の操作部（図示しない）を操作して、イオン発生装置２３０が駆動されると、ほぼ閉鎖空間にされた集塵容器２２１内に相対的に高濃度のイオンを導入することができる。
【００５０】
なお、イオン導入口２２５とイオン発生装置２３０が接続される位置まで集塵容器２２１が回転したことを検知して、イオン発生装置２３０を駆動させてもよい。
【００５１】
一方、集塵容器２２１を備えた塵埃捕集室１２０を電気掃除機１の本体１００に装着した状態で、塵埃捕集室１２０の上部に設けた把手（図示しない）を使用者が持って、矢印で示す方向（図７において逆時計周り）に回転させる。これにより、図７に示すように、吸気導入口２２２が連結管１０５に接続されて連通可能な状態にされ、イオン導入口２２５が開閉部材２２６で閉鎖されてイオン発生装置２３０に接続されずに連通できない状態にされることができる（第２の装着状態）。
【００５２】
この状態で、使用者が電気掃除機１の操作部（図示しない）を操作して、電気掃除機１の運転を開始すると、電動送風機１１０が駆動され、掃除が可能となる。
【００５３】
第２の実施形態の構成によれば、集塵容器２２１を備えた塵埃捕集室１２０を電気掃除機１の本体１００に装着した状態で、集塵容器２２１を回転させることによって、吸気導入口２２２またはイオン導入口２２５のいずれか一方を閉鎖し、吸気導入口２２２またはイオン導入口２２５のいずれか他方を開放することが可能となり、上述した第１の実施形態と同様の作用・効果を得ることができる。
【００５４】
なお、上記の第２の実施形態では、集塵容器２２１の円周に沿って本体１００側に固定配置された連結管１０５、開閉部材２２６、イオン発生装置２３０に対して、吸気導入口２２２とイオン導入口２２５を集塵容器２２１とともに回転移動させることによって、吸気導入口２２２またはイオン導入口２２５のいずれか一方を閉鎖し、吸気導入口２２２またはイオン導入口２２５のいずれか他方を開放することを可能としている。しかし、回転移動ではなく、本体１００側に一列に固定配置された連結管１０５、開閉部材２２６、イオン発生装置２３０に対して平行となるように、吸気導入口２２２とイオン導入口２２５を集塵容器２２１に配置し、集塵容器２２１とともに平行移動させてもよい。
【００５５】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【００５６】
１：電気掃除機、１１０：電動送風機、１２０：塵埃捕集室、１２１，２２１：集塵容器、１２２，２２２：吸気導入口、１２３：排気口、１２４：フィルター、１２５，２２５：イオン導入口、１２６，２２６：開閉部材、１３０，２３０：イオン供給部、１３１：イオン発生装置、１３２：送風ファン、１３５：イオン導入通路。
【図１】
2011015882.tif 000003
【図２】
2011015882.tif 000004
【図３】
2011015882.tif 000005
【図４】
2011015882.tif 000006
【図５】
2011015882.tif 000007
【図６】
2011015882.tif 000008
【図７】
2011015882.tif 000009